(57)【要約】【課題】ＴＯＣ情報のリードアウト時間に偽の情報が記録された光ディスクであっても、正常な再生動作を行うことができる光ディスク再生装置を提供する。【解決手段】ＣＤからＴＯＣ情報を読み出し、ＴＯＣ情報のリードアウト時間が最終曲の開始時間未満であるとき、ＣＤが標準規格に基づくＣＤでないと判断し、光ピックアップを最終曲の開始位置からＣＤの終端方向へ移動させてリードアウトエリアの位置を検知した後、最終曲の最新取得時間とリードアウトエリアを検知した位置の最新時間の平均時間へアクセスすることをリードアウトエリアを再度検知するまで繰り返し、このリードアウトエリアの再度検知を３回行った時点の最終曲の最新取得時間に１フレームの値を加えた値をリードアウト時間の補正値とし、この補正されたリードアウト時間を用いて再生を行う。【選択図】図２
2009104745.tif 000002
【特許請求の範囲】
【請求項１】
コンパクトディスクからＴＯＣ情報を読み出す読み出し手段と、
前記ＴＯＣ情報のリードアウト時間が最終曲の開始時間未満であるとき、前記コンパクトディスクが標準規格に基づくコンパクトディスクでないと判断する判断手段と、
を備える光ディスク再生装置。
【請求項２】
前記制御手段は、
前記判断手段で、前記コンパクトディスクが標準規格に基づくコンパクトディスクでないと判断された場合に、光ピックアップを最終曲の開始位置から前記コンパクトディスクの終端方向へ移動させてリードアウトエリアを検知する検知手段と、前記ＴＯＣ情報のリードアウト時間を前記検知したリードアウトエリアの開始位置付近となるように補正する補正手段と、を含む請求項１記載の光ディスク再生装置。
【請求項３】
前記検知手段は、光ピックアップを最終曲開始時間近傍へアクセスさせ、アクセス中にリードアウトエリアを検知したか否かを判定し、リードアウトエリアを検知しなかった場合は前回のアクセス位置に所定時間を加えた位置にアクセスすることをリードアウトエリアを検知するまで繰り返すことにより、前記リードアウトエリアを検知し、リードアウトエリアを検知した後は、リードアウトエリアを検知した時点における最終曲の最新取得時間とリードアウトエリアを検知した位置の最新時間との中間の時間の位置へアクセスすることをリードアウトエリアを再度検知するまで繰り返し、
前記補正手段は、前記リードアウトエリアの再度検知を所定回数実行した時点の最終曲の最新取得時間に所定加算値を加えることにより、前記ＴＯＣ情報のリードアウト時間の補正値を得るものである請求項２記載の光ディスク再生装置。
【請求項４】
前記所定時間は５秒であり、前記所定回数は３回であり、前記所定加算値は１フレームの時間であるものである請求項３記載の光ディスク再生装置。
【請求項５】
前記検知手段は、コンパクトディスクを１倍速より速い速度で回転させて、光ピックアップを最終曲の開始位置から前記コンパクトディスク終端方向へ移動させることにより、前記リードアウトエリアの位置を検知するものである請求項２ないし４のいずれか一項に記載の光ディスク再生装置。
【発明の詳細な説明】
【技術分野】
【０００１】
本発明はコンパクトディスク（以下、ＣＤ）に記録された情報を再生する光ディスク再生装置に係り、特にTable Of Contents（以下、ＴＯＣ情報）に偽の情報が記録された標準規格外のＣＤの再生処理に関するものである。
【背景技術】
【０００２】
音楽ＣＤのコピーコントロールは、標準規格（例えば、120 mm再生専用形光ディスク(CD-ROM)、JIS X 6281）において、トラック領域に記録する制御情報であるサブコードＱチャンネルの中で複製許可と複製不許可のコードを規定している。しかしながら、パソコンの普及に伴いＣＤ−ＲＯＭドライブを用いた複製が可能になり、不法な複製や再生が増大した。
【０００３】
この不法な複製等に対処するため、標準規格を逸脱した方法によるコピーコントロールを施したＣＣＣＤ（copy control CD）と称されるＣＤが製作されるようになった。その手法は様々であるが、一般には各トラックの情報等を記録するＴＯＣ情報に偽のデータを記録することが行われている。
【０００４】
しかしながら、これらのＣＣＣＤは標準規格を拡大解釈して対処したもの、すなわち標準規格外のＣＤであるため、一部の光ディスク再生装置ではＣＣＣＤが再生できないという不都合が発生している。
【０００５】
再生できない原因はＣＣＣＤが標準規格外であることであって光ディスク再生装置の問題ではないが、ユーザには再生できない原因が分からないため、それが光ディスク再生装置の故障によるものと誤認する場合が多い。この誤認により、光ディスク再生装置の品質に対する信頼性が損なわれる場合がある。これに対処した従来の対策例を以下に示す。
【０００６】
ＴＯＣ情報とトラック領域のサブコード情報に矛盾のあるＣＣＣＤが挿入された場合に、ＴＯＣ情報およびトラック領域のサブコード情報を読み取り、挿入されたＣＤが標準規格に基づくＣＤか否かを判断することにより、それが規格外ＣＤであることをユーザに報知する手法がある（例えば、特許文献１参照）。このことにより、規格外ＣＤとして再生不可となってもユーザが装置の故障と誤認することを防止でき、装置の品質に対する信頼が損なわれることがない。
【０００７】
また、マルチセッションＣＤにおいて第１セッションのＴＯＣ情報と第２セッションのＴＯＣ情報に矛盾のあるＣＣＣＤが挿入された場合に、誤ったＴＯＣ情報に従ってデータを読み出そうとすると正常にデータを読み出すことができずリトライが高頻度に発生するが、そのとき用いるリトライ回数やリトライ時間を減らすことで、アクセス時間を短縮し再生可能にする手法がある（例えば、特許文献２参照）。
【０００８】
また、サブコードの同期情報を意図的にずらして記録し、複製するとノイズの多いＣＤとなるようにしたＣＣＣＤがある。このようなＣＣＣＤが挿入された場合に、ＣＤの同期情報にすべて依存するのではなく、内部カウンタを用いて生成した同期情報を併用してデータを読み出すことにより再生を可能にする手法がある（例えば、特許文献２参照）。
【０００９】
また、ＣＤ−ＤＡの非圧縮オーディオデータと、ＣＤ−ＲＯＭデータとして記録されるＭＰ３の圧縮オーディオデータの両方の再生が可能なＣＤプレーヤでは、ＴＯＣ情報により記録されたデータがＣＤ−ＤＡとＭＰ３のいずれであるかを認識しているが、コピーコントロールのために開発されたメディアクロック方式のＣＣＣＤでは、ＣＤ−ＤＡの非圧縮オーディオデータに対するＴＯＣ情報にＣＤ−ＲＯＭデータであることを示す情報が記述される。
【００１０】
このようなＣＣＣＤが挿入された場合に、ＴＯＣ情報によりオーディオデータの種類を認識して再生すると正常な音楽再生ができないため、実際に記録されているデータを読み取り、それがＣＤ−ＲＯＭデータか否かを判断し、ＣＤ−ＲＯＭデータが記録されていない場合はＣＤ−ＤＡデータとして再生するように制御することで、正常な音楽再生を可能にする手法がある（例えば、特許文献３参照）。
【００１１】
【特許文献１】特開２００５−４８３８号公報
【特許文献２】特開２００５−３８４８８号公報
【特許文献３】特開２００５−１４１７９６号公報
【発明の開示】
【発明が解決しようとする課題】
【００１２】
しかしながら、上述したＣＣＣＤの他に、記録領域の最終位置を示すリードアウトの開始時間がゼロから始まるとの偽のデータが記録されたＣＣＣＤがある。この場合は上記従来の解決策では対応できない。
【００１３】
また、通常のＣＤプレーヤでは、このデータを無視することで再生することができるが、この偽のデータを全く無視するとＣＤの一部の機能が利用できなくなるという問題が発生する。例えば、最終曲の曲終端を誤判別することにより、一部の制御ならびに機能が実現できなくなる。以下に具体例で詳細に説明する。
【００１４】
第１の例は、ディスクの傷やデータの欠落などに対するリカバリとして行う先飛ばし処理において発生する問題である。先飛ばし先を決定するにあたっては記録領域内で先飛ばしを行う必要があり、リードアウトの開始時間を越えた場合は先頭曲へ飛ばすなどの保護処理を行っている。そのため、リードアウトの開始時間が上記のように偽のデータであると、先飛ばし処理が起動されたときに再生位置にかかわらず曲終端と誤判別し、先頭曲から再生してしまう。
【００１５】
第２の例は、指定時間が記録領域内かの判断をリードアウトの開始時間で行う時間指定再生機能において発生する問題である。リードアウトの開始時間が上記のように偽のデータであると、指定時間にかかわらず最終曲の曲終端を超えていると誤判別し、曲を再生することができなくなる。
【００１６】
第３の例は、最終曲の曲終端からのＦＲ機能において発生する問題である。最終曲の曲終端はリードアウトの開始時間から算出しているため、リードアウトの開始時間が上記のように偽のデータであると、ＦＲ動作を行うことができなくなる。
【００１７】
本発明は上記従来の問題を解決するためになされたもので、ＴＯＣ情報のリードアウト時間に偽の情報が記録された光ディスクであっても、正常な再生動作を行うことができる光ディスク再生装置を提供することを目的とする。
【課題を解決するための手段】
【００１８】
本発明の光ディスク再生装置は、ＣＤからＴＯＣ情報を読み出す読み出し手段と、前記ＴＯＣ情報のリードアウト時間が最終曲の開始時間未満であるとき、そのＣＤが標準規格に基づくＣＤでないと判断する判断手段と、を備える。
【００１９】
上記構成によれば、記録領域の最終位置を示すリードアウトの開始時間が最終曲の開始時間未満の位置から始まるとの偽のデータが記録された標準規格外のＣＣＣＤが挿入された場合に、これを検知することができ、そのまま再生を実行した場合に発生する問題を回避することが可能になる。
【００２０】
また、本発明の光ディスク再生装置は、前記制御手段が、挿入されたＣＤが標準規格に基づくＣＤでないと判断された場合に、光ピックアップを最終曲の開始位置からＣＤの終端方向へ移動させてリードアウトエリアを検知する検知手段と、前記ＴＯＣ情報のリードアウト時間を前記検知したリードアウトエリアの開始位置付近となるように補正する補正手段と、を含むものである。
【００２１】
上記構成によれば、挿入されたＣＤが標準規格に基づくＣＤでないと判断された場合に、ＣＣＣＤに記録された偽のＴＯＣ情報によらず、新たに検知したリードアウトエリアの位置情報により補正したＴＯＣ情報を使用することができるため、正規のＣＤと同様の再生処理を行うことができる。
【００２２】
また、本発明の光ディスク再生装置は、前記検知手段は、光ピックアップを最終曲開始時間近傍へアクセスさせ、アクセス中にリードアウトエリアを検知したか否かを判定し、リードアウトエリアを検知しなかった場合は前回のアクセス位置に所定時間を加えた位置にアクセスすることをリードアウトエリアを検知するまで繰り返すことにより、前記リードアウトエリアを検知し、リードアウトエリアを検知した後は、リードアウトエリアを検知した時点における最終曲の最新取得時間とリードアウトエリアを検知した位置の最新時間との中間の時間の位置へアクセスすることをリードアウトエリアを再度検知するまで繰り返し、前記補正手段は、前記リードアウトエリアの再度検知を所定回数行った時点の最終曲の最新取得時間に所定加算値を加えることにより、前記ＴＯＣ情報のリードアウト時間の補正値を得るものである。
【００２３】
また、本発明の光ディスク再生装置は、前記所定時間は５秒、前記所定回数は３回、前記所定加算値は１フレームの時間とするものである。
【００２４】
上記構成によれば、最終曲にアクセスしたときの時間とリードアウトエリアを検知したときの時間を用いて漸近的な手法によりリードアウトエリアの開始位置を探るため、正確には知ることのできないリードアウトエリアの開始時間の近似値を高い精度で得ることができる。
【００２５】
さらに、本発明の光ディスク再生装置は、前記検知手段が、ＣＤを１倍速より速い速度で回転させて、光ピックアップを最終曲の開始位置からＣＤの終端方向へ移動させるにより、前記リードアウトエリアの位置を検知するものである。
【００２６】
リードアウトエリアを検知するためには、周付近から光ピックアップを一旦最外周まで移動させるが、上記構成によれば、ディスクの回転数を１倍速より速い速度、たとえば４倍速にすることにより、短時間で光ピックアップを最外周に到達させることが可能となる。
【発明の効果】
【００２７】
本発明によれば、挿入されたＣＤが標準規格外のＣＤであることをリードアウト時間の情報から簡単な方法で検出し、また、漸近的な手法によりリードアウトエリアの開始位置を探り、高い精度で得たリードアウトエリアの開始時間の近似値によりリードアウト時間を補正することができるため、標準規格外のＣＤであっても正規のＣＤと同様の再生処理を行うことが可能となる。
【発明を実施するための最良の形態】
【００２８】
以下、本発明の実施の形態について図面を参照しながら説明する。図１は本発明の実施の形態における光ディスク再生装置の構成を示すブロック図である。図１において、１０１はＣＤ１０６から情報を読み取る光ピックアップ、１０２は光ピックアップ１０１からの信号を増幅するＲＦアンプ、１０３はサーボＬＳＩ、１０４は光ピックアップ１０１の移動を制御するドライバＩＣ、１０５はサーボＬＳＩ１０３とドライバＩＣ１０４を制御するマイクロコンピュータである。
【００２９】
図３はＣＤのデータエリアの基本的な構成を示す図である。ＣＤのデータエリアは、リードインエリア、プログラムエリア、リードアウトエリアで構成される。リードインエリアにはＴＯＣ情報が記録され、プログラムエリアには音楽等のデータが記録されている。また、プログラムエリアは複数のトラックに分けられ、通常は各トラックが１曲の音楽に対応する。
【００３０】
図４はリードインエリアに記録されるＴＯＣ情報のフォーマットを示す図である。ＴＯＣ情報は楽曲の目次データ等を収納したＣＤのインデックスにあたるもので、プログラムエリアのデータを読み出すために必要な各種情報で構成される。
【００３１】
図４に示す情報はトラック毎に存在し、そのトラックを示す０１〜９９の番号（以下、トラック番号）と実際のデータが記録されている領域を示す開始時間が記録されている。また、先頭曲のトラック番号、最終曲のトラック番号、リードアウト時間も記録されている。
【００３２】
図５はトラック領域に記録される制御情報であるサブコードＱチャンネルのフォーマットを示す図である。サブコードＱチャンネルの情報には、トラック番号に対応したトラック内経過時間や絶対時間が含まれている。光ディスク再生装置においては、図４に示すＴＯＣ情報に従い、図５に示すサブコードＱチャンネルの情報をもとにオーディオ再生が行われる。
【００３３】
また、リードアウトエリアでもサブコードＱチャンネルの情報が記録されており、このときのトラック番号はＡＡと定義されている。従って、リードアウト時間はトラック番号ＡＡの開始時間であり、最終曲の曲終端の時間＋１フレームの時間になる。
【００３４】
標準規格では図４に示すＴＯＣ情報と図５に示すサブコードＱチャンネルの情報は一致することが規定されている。それゆえ、ＣＤのＴＯＣ情報ならびにサブコードＱチャンネルの情報から標準規格外のＣＤか否かを判断することができる。
【００３５】
図６はＴＯＣ情報のリードアウト時間に偽の情報が記録された標準規格外のＣＣＣＤの例を示す図である。このＣＣＣＤにおいては、本来であれば最終曲の曲終端付近にあるべきリードアウト時間が、最終曲の開始時間未満であるように記録されている。
【００３６】
図２は本発明の実施の形態に係る光ディスク再生装置の処理動作を示すフローチャートである。本発明の光ディスク再生装置においては、挿入されたＣＤが標準規格に基づくＣＤか否かの判断を行い、ＴＯＣ情報のリードアウト時間に偽の情報を記録されたＣＣＣＤであった場合にはリードアウト時間の補正処理を行う。以下、図１の光ディスク再生装置の構成により図２のフローチャートの処理動作を説明する。
【００３７】
まずステップＳ６０１で、光ピックアップ１０１が、ＣＤのＴＯＣ情報を読み出してマイクロコンピュータ１０５に取り込む。次にステップＳ６０２で、マイコン１０５が、リードアウト時間と最終曲の開始時間とを照合することにより、リードアウト時間が偽の情報でないかを判定する。
【００３８】
リードアウト時間が最終曲の開始時間未満であるように記録されている場合は、偽の情報が記録されたＣＣＣＤであると判断する。リードアウト時間が最終曲の開始時間以上であるように記録されている場合は、規格通りのＣＤであると判断し、ＴＯＣ情報に従って再生動作を行う。
【００３９】
リードアウト時間が最終曲の開始時間未満であるように記録されたＣＣＣＤであると判断された場合は、マイコン１０５が、リードアウト時間を補正する処理を行う。リードアウト時間はトラック番号ＡＡの開始時間、もしくは最終曲の曲終端の時間＋１フレームであるため、プログラムエリアのサブコードＱチャンネルの情報により決定することができる。
【００４０】
それには、実際にプログラムエリアへアクセスしてサブコードＱチャンネルの情報を取得する必要があるが、トラック番号ＡＡの開始時間や最終曲の曲終端の時間は特定することができないため、アクセス中に取得したサブコードＱチャンネルの情報の履歴により、最終曲の最大時間、リードアウトエリアの最小時間を算出する。
【００４１】
すなわち、ステップＳ６０３で最終曲開始時間＋５秒へアクセスし、ステップＳ６０４でアクセス中にリードアウトエリアへ突入したかを判定する。リードアウトエリアを検知したことの判定は、アクセス中にリードアウトエリアのサブコードＱチャンネルの情報を取得したか否かで行う。
【００４２】
リードアウトエリアの検知後は、ステップＳ６０５で現時点での最終曲の最大時間とリードアウトエリアの最小時間の平均位置へアクセスさせる。ステップ６０６により、この処理を３回実施し、ステップ６０７でこのときの最終曲の最大時間＋１フレームをリードアウト時間として確定する。
【００４３】
ステップＳ６０３の最終曲開始時間＋５秒へのアクセスでリードアウトエリアを検知しなかった場合は、ステップ６０９により再度最終曲開始時間＋５秒へのアクセスを行う。これの処理をリードアウトエリアを検知するまで繰り返す。
【００４４】
以上の処理を実施することにより、リードアウト時間が最終曲の開始時間未満であるように記録されたＣＣＣＤが挿入された場合に、マイコン１０５により、ＴＯＣ情報のリードアウト時間の補正値を得ることができ、偽のリードアウト時間を用いずに、正しい再生動作を行うことが可能となる。
【００４５】
なお、上記実施の形態において、リードアウトエリアを検知するためには内周付近から光ピックアップを一旦最外周まで移動させる。その際に、ディスクの回転数を１倍速より速い速度、たとえば４倍速にすることにより、短時間で光ピックアップを最外周に到達させることが可能となる。
【産業上の利用可能性】
【００４６】
本発明にかかわる光ディスク再生装置は、標準規格外のＣＤであっても正常に再生することができる効果を有し、今後ますます偽造防止対策ディスクが増加する状況において有用である。
【図面の簡単な説明】
【００４７】
【図１】本発明の実施の形態における光ディスク再生装置の構成を示すブロック図
【図２】本発明の実施の形態に係る光ディスク再生装置の処理動作を示すフローチャート
【図３】ＣＤのデータエリアの基本的な構成を示す図
【図４】リードインエリアに記録されるＴＯＣ情報のフォーマットを示す図
【図５】トラック領域に記録される制御情報であるサブコードＱチャンネルのフォーマットを示す図
【図６】ＴＯＣ情報のリードアウト時間に偽の情報が記録された標準規格外のＣＣＣＤの例を示す図
【符号の説明】
【００４８】
１０１  光ピックアップ
１０２  ＲＦアンプ
１０３  サーボＬＳＩ
１０４  ドライバＩＣ
１０５  マイクロコンピュータ
１０６  ＣＤ
Ｓ６０１〜Ｓ６０８  本発明の処理ステップ
【図１】
2009104745.tif 000003
【図２】
2009104745.tif 000004
【図３】
2009104745.tif 000005
【図４】
2009104745.tif 000006
【図５】
2009104745.tif 000007
【図６】
2009104745.tif 000008